(57)【要約】【課題】  用紙排出部に起因する騒音の低減が部品の浪費を抑えながら図られた画像形成装置を提供する。【解決手段】  記録媒体に画像を記録する画像記録部と、画像記録部の上部に、空間を介して設けられた、原稿の画像を読み取る原稿読取部とを具備し、画像形成装置が、上記空間に、画像記録部から記録媒体を排出する記録媒体排出部を有するものであって、さらに、記録媒体排出部に向かう、吸音材、遮音材、制振材、あるいは反響材のうち少なくとも１つの材料が配置された面を有している。【選択図】        図４
2005227674.tif 000002
【特許請求の範囲】
【請求項１】
記録媒体に画像を記録する画像記録部と、
前記画像記録部の上部に、空間を介して設けられた、原稿の画像を読み取る原稿読取部とを具備し、
画像形成装置が、前記空間に、前記画像記録部から記録媒体を排出する記録媒体排出部を有するものであって、さらに、
前記記録媒体排出部に向かう、吸音材が配置された面を有するものであることを特徴とする画像形成装置。
【請求項２】
記録媒体に画像を記録する画像記録部と、
前記画像記録部の上部に、空間を介して設けられた、原稿の画像を読み取る原稿読取部とを具備し、
画像形成装置が、前記空間に、前記画像記録部から記録媒体を排出する記録媒体排出部を有するものであって、さらに、
前記記録媒体排出部に向かう、遮音材が配置された面を有するものであることを特徴とする画像形成装置。
【請求項３】
記録媒体に画像を記録する画像記録部と、
前記画像記録部の上部に、空間を介して設けられた、原稿の画像を読み取る原稿読取部とを具備し、
画像形成装置が、前記空間に、前記画像記録部から記録媒体を排出する記録媒体排出部を有するものであって、さらに、
前記記録媒体排出部に向かう、制振材が配置された面を有するものであることを特徴とする画像形成装置。
【請求項４】
記録媒体に画像を記録する画像記録部と、
前記画像記録部の上部に、空間を介して設けられた、原稿の画像を読み取る原稿読取部とを具備し、
画像形成装置が、前記空間に、前記画像記録部から記録媒体を排出する記録媒体排出部を有するものであって、さらに、
前記記録媒体排出部に向かう、反響材が配置された面を有するものであることを特徴とする画像形成装置。
【発明の詳細な説明】
【技術分野】
【０００１】
本発明は、記録媒体に画像データに基づく画像を記録する画像形成装置に関する。
【背景技術】
【０００２】
従来より、原稿読取装置と画像記録装置との間に用紙排出の為の空間を備えた胴内排紙タイプと呼ばれる画像形成装置が知られている。
【０００３】
図１は、胴内排紙タイプの複写機を示す図である。
【０００４】
図１には、原稿が置かれ、この原稿を写した画像を表す画像データを生成する原稿読取装置１１と、用紙上に画像データに基づく画像を記録し、画像が記録された用紙が排出される空間である用紙排出部１３をその上部に備えた画像記録装置１２とからなる複写機１０が示されており、原稿読取装置１１は、画像記録装置１２との間に用紙排出部１３の為の空間を挟み画像記録装置１２によって支持されている。
【０００５】
このような胴内排紙タイプの画像形成装置については、原稿読取装置１１と画像記録装置１２との間に備えられた用紙排出部１３にモレ出てくる、装置内部からの音や振動による騒音が問題とされており、この騒音を低減するための工夫が提案されている（特許文献１参照）。
【０００６】
図２は、特許文献１に示す、原稿読取装置を取り外した状態の画像形成装置の外観斜視図である。
【０００７】
図２には、画像が記録された用紙が排出される用紙排出部１３、画像記録装置１２の、原稿読取装置１１を支持する支持面１２１ｂ、および、画像が記録された用紙を排出するための排出口１２１ａが示されている。
【０００８】
また、図２には、排出口１２１ａに、用紙を排出するための排出ロール１２２および装置内の音が用紙排出部１３に漏れ出るのを防止するための吸音ロール１２３が備えられている様子が示されている。
【０００９】
図３は、図２に示す排出ロールおよび吸音ロールの拡大図である。
【００１０】
図３には、上下に配設された軸１２８に排出ロール１２２および吸音ロール１２３が配設されている様子が示されており、この特許文献１に提案されている画像形成装置によれば、排出ロール１２２と共に吸音ロール１２３が排出口を塞ぐように備えられていることから、装置内部の音の、用紙排出部１３への漏出を抑制することができる。
【特許文献１】特開平４−２７１３６４号公報
【発明の開示】
【発明が解決しようとする課題】
【００１１】
しかし、特許文献１の提案では、排出ロール１２２に比べ、柔らかな材料を用いている吸音ロール１２３は摩擦による摩耗が激しいため、排出ロール１２２はさほど摩耗していないにも拘らず吸音ロール１２３と一緒に交換せざるを得ないという問題がある。
【００１２】
尚、上記問題は、用紙排出部１３を確保しながら画像記録装置１２が原稿読取装置１１を直接支持している態様のものに限らず、例えば、同じ胴内排紙タイプの画像形成装置でも、フレームで原稿読取装置を支持し、そのフレームに囲まれた中に画像記録装置が収納されて、画像記録装置と原稿読取装置とが完全に離隔している態様の画像形成装置においても同様に起こりうる。
【００１３】
本発明は、上記事情に鑑み、記録媒体の排出に起因する騒音の低減が部品の浪費を抑えながら図られた画像形成装置を提供することを目的とする。
【課題を解決するための手段】
【００１４】
上記目的を達成するための本発明の画像形成装置のうちの第１の画像形成装置は、
記録媒体に画像を記録する画像記録部と、
上記画像記録部の上部に、空間を介して設けられた、原稿の画像を読み取る原稿読取部とを具備し、
画像形成装置が、上記空間に、上記画像記録部から記録媒体を排出する記録媒体排出部を有するものであって、さらに、
上記記録媒体排出部に向かう、吸音材が配置された面を有するものであることを特徴とする。
【００１５】
本発明の画像形成装置のうちの第１の画像形成装置には、記録媒体排出部に向かう、吸音材が配置された面が備えられている。つまり、この第１の画像形成装置では、記録媒体排出部に漏れ出た音のうち、少なくとも、この吸音材が配置された面に向かう音を吸収することができる。したがって、この第１の画像形成装置によれば、記録媒体排出部に起因する騒音を部品の浪費を抑えながら低減することができる。尚、この記録媒体には、例えば紙や電子ペーパなどが含まれる。
【００１６】
本発明の画像形成装置のうちの第２の画像形成装置は、
記録媒体に画像を記録する画像記録部と、
上記画像記録部の上部に、空間を介して設けられた、原稿の画像を読み取る原稿読取部とを具備し、
画像形成装置が、上記空間に、上記画像記録部から記録媒体を排出する記録媒体排出部を有するものであって、さらに、
上記記録媒体排出部に向かう、遮音材が配置された面を有するものであることを特徴とする。
【００１７】
本発明の画像形成装置のうちの第２の画像形成装置には、記録媒体排出部に向かう、遮音材が配置された面が備えられている。つまり、この第２の画像形成装置では、記録媒体排出部に漏れ出てくる、画像記録部および原稿読取部の内部に備えられた駆動系からの駆動音によっても、少なくとも、遮音材が配置されている面の振動は抑制される。これにより、記録媒体排出部が設けられていることで引き起こされていた、いわゆるスピーカ効果が低減される。したがって、第２の画像形成装置によれば、記録媒体排出部に起因する騒音を部品の浪費を抑えながら低減することができる。
【００１８】
本発明の画像形成装置のうちの第３の画像形成装置は、
記録媒体に画像を記録する画像記録部と、
上記画像記録部の上部に、空間を介して設けられた、原稿の画像を読み取る原稿読取部とを具備し、
画像形成装置が、上記空間に、上記画像記録部から記録媒体を排出する記録媒体排出部を有するものであって、さらに、
上記記録媒体排出部に向かう、制振材が配置された面を有するものであることを特徴とする。
【００１９】
本発明の画像形成装置のうちの第３の画像形成装置では、記録媒体排出部に向かう、制振材が配置された面が備えられている。これにより、この第３の画像形成装置では、画像記録部および原稿読取部の内部に備えられた駆動系からの振動の、少なくとも、制振材が配置されている面への伝播が抑制されることでスピーカ効果の低減が図られる。したがって、この第３の画像形成装置によれば、記録媒体排出部に起因する騒音を部品の浪費を抑えながら低減することができる。
【００２０】
本発明の画像形成装置のうちの第４の画像形成装置は、
記録媒体に画像を記録する画像記録部と、
上記画像記録部の上部に、空間を介して設けられた、原稿の画像を読み取る原稿読取部とを具備し、
画像形成装置が、上記空間に、上記画像記録部から記録媒体を排出する記録媒体排出部を有するものであって、さらに、
上記記録媒体排出部に向かう、反響材が配置された面を有するものであることを特徴とする。
【００２１】
本発明の画像形成装置のうちの第４の画像形成装置には、記録媒体排出部に向かう、反響材が配置された面が備えられている。つまり、この第４の画像形成装置では、記録媒体排出部に漏れ出た音のうち、少なくとも、この反響材が配置された面に向かった音を、例えば、吸音材が配置された面に向かわせることで、騒音の低減を図ることができる。したがって、この第４の画像形成装置によれば、記録媒体排出部に起因する騒音を部品の浪費を抑えながら低減することができる。
【発明の効果】
【００２２】
本発明の画像形成装置によれば、記録媒体の排出に起因する騒音の低減を部品の浪費を抑えながら簡易に図ることができる。
【発明を実施するための最良の形態】
【００２３】
以下、本発明の実施形態について説明する。
【００２４】
図４は、本発明の画像形成装置のうちの第１および第４の画像形成装置の一実施形態の複写機、および従来の複写機の断面図である。尚、図４に示すもので、図１において示すものと同じ種類のものには図１において付されている符号と同じ符号が付されている。
【００２５】
図４（ａ）には、本実施形態である複写機１の断面図が示されており、上方には、原稿読取装置１１の構成要素である、原稿が置かれる原稿台、および、図示しないランプやミラー等からなる光学走査系が収容された本体部１１ｂと、本体部１１ｂの上面に取り付けられた、原稿台に置かれた原稿を抑えるための上蓋部１１ａとが示されている。
【００２６】
また、図４（ａ）には、画像記録装置１２０の構成要素である、ＡＢＳ樹脂からなる筐体１２１と、用紙トレイ１２９と、用紙トレイ１２９から用紙を引き出す用紙引出部１２６と、原稿読取装置１１から送信されてくる画像データを基に用紙に記録する画像を形成し転写する画像転写部１２７と、画像転写部１２７で画像が転写された用紙を加熱・加圧することにより画像を用紙に定着させる定着部１２５と、用紙を画像転写部１２７や排出口１２１ａまで搬送する搬送部１２４とが示されており、搬送部１２４には、用紙を搬送するための搬送ロール１２４ａが備えられている。また、画像転写部１２７には、感光体１２７ａ、感光体１２７ａ上にトナー像を形成する現像器１２７ｂ、および、画像転写部１２７に搬送されてきた用紙に、感光体上に形成されたトナー像を転写するための転写器１２７ｃが備えられている。
【００２７】
さらに、図４（ａ）には、比較のために図４（ｂ）に示されている従来の複写機１０とは異なり、画像記録装置１２０の、用紙排出部１３側の面のうち排出された用紙が積み重ねられる面側に反響部材であるステンレス板１５が取り付けられ、原稿読取装置１１の、用紙排出部１３側の面に吸音材であるウレタンフォーム１４が取り付けられている様子が示されている。
【００２８】
本実施形態の複写機１の画像記録装置１２０では、画像記録装置１２０の、用紙排出部１３側の面にＡＢＳ樹脂で形成された当該筐体部分よりも反響性の高いステンレス板１５が取り付られ、また、原稿読取部１１の、用紙排出部１３側の面にＡＢＳ樹脂で形成された当該筐体部分よりも吸音性の高いウレタンフォーム１４が取り付けられている。これにより、本実施形態の複写機１では、排出口１２１ａから漏れ出てくる音のうち、原稿読取部１１の、用紙排出部１３側の面に向かった音はウレタンフォーム１４で吸音され、また、画像記録装置１２０の、用紙排出部１３側の面に向かった音は、ステンレス板１５で反射された後ウレタンフォーム１４によって吸音されるようになっている。従って、本実施形態の複写機１によれば、ＡＢＳ樹脂製の筐体面にウレタンフォーム材１４およびステンレス板１５を配置するという簡単な構成で用紙排出部１３に起因する騒音の低減を図ることができる。尚、本実施形態の複写機１では、上述のステンレス板１５が取り外された状態であってもウレタンフォーム１４の存在により、用紙排出部１３から発生する騒音の低減を図ることができる。
【００２９】
図５は、本発明の画像形成装置のうちの第２の画像形成装置の一実施形態の複写機の一部を示す図である。尚、図５に示すもので、図１において示すものと同じ種類のものには図１において付されている符号と同じ符号が付されている。
【００３０】
図５には、本実施形態の複写機のうちの画像記録装置１３０のみが示されており、本実施形態の複写機の原稿読取部は、図４に示す原稿読取部１１と同じ種類のものであるため図示は省略している。
【００３１】
図４に示す、第１の画像形成装置の一実施形態である複写機１では、画像記録装置１２０の、用紙排出部１３側の面のうち排出された用紙が積み重ねられる面側にステンレス板１５、原稿読取部１１の、用紙排出部１３側の面にウレタンフォーム１４が取り付けられているのに対し、本実施形態の複写機では、図５に示す画像記録装置１２０の、用紙排出部１３側の面のうち、排出された用紙が積み重ねられる面および排出口１２１ａの周囲に遮音性の高い鉛シート材１６が取り付けられている。これにより、従来の複写機１０では、画像記録装置内の駆動系から発生した駆動音が画像形成装置１２の筐体１２１を透過して、画像記録装置１２の、用紙排出部側１３側の面を振動させることで発生していた、いわゆるスピーカ効果の低減が図られている。したがって、本実施形態の複写機によっても、用紙排出部に起因する騒音の低減を簡易に図ることができる。
【００３２】
最後に、本発明の画像形成装置のうちの第３の画像形成装置の一実施形態について説明するが、本実施形態の複写機も、本発明の画像形成装置のうちの第２の画像形成装置の一実施形態の複写機と同様に、原稿読取装置については同じ種類のものが採用されている。      
【００３３】
また、画像記録装置についても、図５に示す画像記録装置１３０の、用紙排出部１３側の面のうち、排出された用紙が着地する面および排出口１２１ａの周囲に取り付けられた遮音性の高い鉛シート材１６の代わりに制振性の高いアスファルト材が取り付けられているだけなので図示は省略する。本実施形態の複写機では、画像記録装置の内部に備えられた駆動系からの振動の、画像記録装置１３０の、用紙排出部１３側の面への直接的な伝播を抑制することでスピーカ効果の低減が図られている。したがって、本実施形態の複写機によれば、用紙排出部１３に起因する騒音を簡易に低減することができる。
【００３４】
以上に説明した実施形態では、画像記録装置および原稿読取装置の、用紙排出部側の複数の面のうちの一部に吸音材等が配置されている場合を例に挙げて説明しているが、本発明では用紙排出部側の全ての面に吸音材等が配置されているものであってもよい。また、吸音材としてウレタンフォーム、反響材としてステンレス板、遮音材として鉛シート、制振材としてアスファルト材を使用した場合を例に挙げたが本発明はこれらに限るものではない。
【００３５】
また、以上に説明した実施形態では、原稿読取装置の下面を画像記録装置が直接指示する複写機を例に挙げて説明したが、本発明はこれに限るものではなく、フレームで原稿読取装置の支持し、そのフレームに囲まれた空間に画像記録装置を収納するタイプの複写機を例に挙げても効果が減却されるものではなく、また、記録媒体としては用紙に限るものでもない。
【図面の簡単な説明】
【００３６】
【図１】胴内排紙タイプの複写機を示す図である。
【図２】原稿読取装置を取り外した状態の、特許文献１に示す画像形成装置の外観斜視図である。
【図３】排出ロールおよび吸音ロールの外観斜視図である。
【図４】本発明の画像形成装置のうちの第１の画像形成装置の一実施形態の複写機および従来の複写機の断面図である。
【図５】本発明の画像形成装置のうちの第２の画像形成装置の一実施形態の複写機の一部を示す図である。
【符号の説明】
【００３７】
１  複写機
１１  原稿読取装置
１２、１２０、１３０  画像記録装置
１２１  筐体
１２２  排出ロール
１２３  吸音ロール
１２４  搬送部
１２５  定着部
１２６  用紙引出部
１２７  画像転写部
１３  用紙排出部
１４  ウレタンフォーム
１５  ステンレス板
１６  鉛シート材
【図１】
2005227674.tif 000003
【図２】
2005227674.tif 000004
【図３】
2005227674.tif 000005
【図４】
2005227674.tif 000006
【図５】
2005227674.tif 000007